(57)【要約】【課題】光源からの光の配光を制御するとともに照射光量を増加させた照明器具を提供する。【解決手段】照明器具Ａは、両端が開口する略円筒状の器具本体１を有し、器具本体１の一端側の開口端には中央部に開口部２ａを有する略円形の蓋体２が取付けられ、蓋体２の内側には透光性のパネル３が配置されている。器具本体１の内部には、複数のＬＥＤチップ５が実装されたＬＥＤユニット４が収納されており、ＬＥＤユニット４の前面側にはＬＥＤチップ５からの光の配光を制御するためのレンズ部９が取付けられている。また、レンズ部９の前面側には、ＬＥＤユニット４及びレンズ部９を覆うように透光性のカバー１０が取付けられており、レンズ部９とカバー１０の間には空気層１２が形成されている。さらに、カバー１０とパネル３の間には透光性樹脂により封止部７が形成され、器具本体１の前面側の開口を封止している。【選択図】図１
2008293928.tif 000002
【特許請求の範囲】
【請求項１】
器具本体内部に収納され器具本体の開口部を通して外部に光を照射する光源と、器具本体内部であって光源に対して前記開口部側に設けられ光源からの光の配光を制御するレンズ部と、器具本体内部に充填された透光性樹脂からなり前記開口部を封止する封止部とを備え、レンズ部と封止部の間に空気層を設けたことを特徴とする照明器具。
【請求項２】
前記封止部により第２のレンズ部を形成したことを特徴とする請求項１記載の照明器具。
【発明の詳細な説明】
【技術分野】
【０００１】
本発明は、光源からの光の配光を制御した照明器具に関するものである。
【背景技術】
【０００２】
従来より、図３に示すように、例えば地中に埋込配設された埋込ボックスＢに取付けられ、屋外で使用される地中埋込型の照明器具Ａがあった。この照明器具Ａは、両端が開口する略円筒状の器具本体１を有し、器具本体１の一端側の開口端には略円形の蓋体２が取付けられ、蓋体２の内側には透光性のパネル３が蓋体２の開口部２ａから前面を露出させた状態で配置されている。また、器具本体１の内部には、複数のＬＥＤチップ５が実装されたＬＥＤユニット４が取付台６に取付けられて収納されており、ＬＥＤユニット４とパネル３の間にはＬＥＤユニット４の絶縁性及び防水性を確保するための透光性樹脂が充填され、封止部７が形成されている。
【０００３】
この照明器具Ａは、封止部７とパネル３の間に隙間（空気層）があると低温時などにパネル３の内側面に結露が発生する虞があるため、ＬＥＤユニット４とパネル３の間を樹脂で隙間なく充填しているが、例えばＬＥＤチップ５の前面側に光の配光を制御するためのレンズ部を設けた場合、一般的にレンズ部と封止部７は屈折率が近い材料が用いられるため、レンズ部に封止部７が密着している状態では光の屈折効果が得られにくいという問題があった。また、ＬＥＤチップ５からの光はレンズ部を通って封止部７に進入し、さらにパネル３を透過して外部に照射されるが、封止部７に進入した光は内部で散乱され、その一部がレンズ部側に戻るため、照射光量が低下する虞もあった。
【０００４】
そこで、光の屈折効果を大きくするために空気層を設けたＬＥＤランプが提案されている（例えば特許文献１参照）。このＬＥＤランプは、電極パターンが実装された回路基板を有し、回路基板の上面には内周面がテーパ状の凹部を有する反射枠体が取付けられており、凹部の中央部には複数の発光体が実装されている。また、反射枠体の上面には発光体を覆うように透光性のレンズ体が取付けられ、発光体とレンズ体の間には空気層が形成されている。
【０００５】
この照明器具は、空気層とレンズ体の屈折率の差を利用したものであり、発光体からの光を空気層からレンズ体に進入させて屈折させることによって、集光性を高めている。
【特許文献１】特開２００４−３２７９５５号公報（段落［００２６］、及び、第５、６図）
【発明の開示】
【発明が解決しようとする課題】
【０００６】
上述の特許文献１に示したＬＥＤランプを地中埋込型の照明器具に用いた場合、ＬＥＤランプの絶縁性及び防水性を確保するために透光性樹脂により器具本体内部を封止する必要があるが、この場合もレンズ体と樹脂が密着しているため、レンズ効果が得られにくいという問題や樹脂内部で散乱された光の一部がレンズ体側に戻り、照射光量が低下する虞があった。
【０００７】
本発明は上記問題点に鑑みて為されたものであり、その目的とするところは、光源からの光の配光を制御するとともに照射光量を増加させた照明器具を提供することにある。
【課題を解決するための手段】
【０００８】
請求項１の発明は、器具本体内部に収納され器具本体の開口部を通して外部に光を照射する光源と、器具本体内部であって光源に対して開口部側に設けられ光源からの光の配光を制御するレンズ部と、器具本体内部に充填された透光性樹脂からなり開口部を封止する封止部とを備え、レンズ部と封止部の間に空気層を設けたことを特徴とする。
【０００９】
請求項２の発明は、封止部により第２のレンズ部を形成したことを特徴とする。
【発明の効果】
【００１０】
請求項１の発明によれば、レンズ部と封止部の間に空気層を設けることによって光の屈折効果が得られるので、封止部により光源の絶縁性及び防水性が確保できるとともに光源からの光を所望の配光に制御することができるという効果がある。また、空気層を設けることによって封止部内部で散乱された光のうちレンズ部側へ向かう光が封止部と空気層の界面で照射方向に反射されるので、外部に照射される光量を増加させることができるという効果がある。
【００１１】
請求項２の発明によれば、封止部により第２のレンズ部を形成しているので、レンズ部を透過した光をさらに第２のレンズ部で所望の配光に制御することができるという効果がある。
【発明を実施するための最良の形態】
【００１２】
本発明の実施形態を図１及び図２に基づいて説明する。本実施形態の照明器具Ａは、例えば地中に埋込配設された埋込ボックス（図示せず）に取付けられ、屋外で使用される地中埋込型の照明器具として用いられる。
【００１３】
この照明器具Ａは、図１に示すように両端が開口する略円筒状の器具本体１を有し、器具本体１の一方（図１（ａ）の上側）の開口端には略円形の蓋体２が取付けられている。この蓋体２の略中央部には、後述するパネル３を外部に露出させるための略円形の開口部２ａが設けられている。
【００１４】
器具本体１において蓋体２の内側には、透光性のパネル３が配設されている。このパネル３は、例えば透明なガラス製であって略円板状に形成されており、一面（図１（ａ）の上面）を蓋体２の開口部２ａを通して外部に露出させた状態で配置されている。
【００１５】
また、器具本体１の内部には、複数のＬＥＤチップ５が実装されたＬＥＤユニット４が取付台６に取付けられて収納されており、ＬＥＤユニット４の前面側（図１（ａ）の上側）には複数の凸面が形成されたレンズ部９が取付けられている。このレンズ部９は、例えば透明な合成樹脂成型品であって、ＬＥＤチップ５からの光の配光を制御するために用いられる。
【００１６】
さらに、レンズ部９の前面側には、下面が開口する略円筒状の透明なカバー１０がＬＥＤユニット４及びレンズ部９を覆うように取付台６に取付けられており、カバー１０の内側面とレンズ部９の間には空気層１２が形成されている。
【００１７】
また、カバー１０とパネル３の間には、透光性樹脂が充填され封止部７が形成されている。この封止部７は、ＬＥＤユニット４の絶縁性及び防水性を確保するためのものであり、器具本体１の前面側（図１（ａ）の上側）の開口を封止している。
【００１８】
さらに、器具本体１の内部には、取付台６に対してＬＥＤユニット４と反対側に電源ユニット８が収納されており、この電源ユニット８とＬＥＤユニット４とが電気的に接続され、電源ユニット８からＬＥＤユニット４にＬＥＤチップ５を点灯させるための点灯電力が供給される。
【００１９】
ここで、この照明器具Ａの動作について説明する。電源ユニット８からＬＥＤユニット４に点灯電力が供給されるとＬＥＤチップ５が点灯し、ＬＥＤチップ５から照射された光は、レンズ部９内を透過しレンズ部９の凸面と空気層１２の界面において屈折される。さらに、空気層１２に進入した光は、空気層１２を直進し空気層１２と封止部７の界面においてさらに屈折されて封止部７に進入する。封止部７に進入した光は、封止部７を透過しさらにパネル３を透過して外部に照射される。
【００２０】
本実施形態の照明器具Ａでは、レンズ部９と封止部７の間に空気層１２を設けることによってレンズ部９の凸面と空気層１２の界面において光の屈折効果が得られるので、封止部７によりＬＥＤユニット４の絶縁性及び防水性が確保できるとともにＬＥＤチップ５からの光を所望の配光に制御することができる。また、空気層１２を設けることによって封止部７内部で散乱された光のうちレンズ部９側へ向かう光が封止部７と空気層１２の界面で照射方向に反射されるので、外部に照射される光量を増加させることができる。
【００２１】
次に、本実施形態の他の例について図２に基づいて説明する。図１で説明した照明器具Ａでは底面が平面状のカバー１０を用いているが、図２に示す照明器具Ａでは底面が曲面状のカバー１１を用いており、それ以外の構成は図１で説明した照明器具Ａと同様であるので、同一の構成要素には同一の符号を付して説明は省略する。
【００２２】
この照明器具Ａでは、カバー１１の底面が前面側（図２の上側）に凸となる曲面状に形成されており、封止部７により凹レンズ（第２のレンズ部）が形成されている。したがって、レンズ部９の凸面と空気層１２の界面で屈折させた光をさらに第２のレンズ部により屈折させて所望の配光に制御することができる。また、例えばＬＥＤユニット４の前面側にレンズ部９を設けていない場合であっても、空気層１２と封止部７の界面においてＬＥＤチップ５からの光を屈折させることができ、したがってＬＥＤチップ５からの光を第２のレンズ部により所望の配光に制御することができる。
【００２３】
尚、本実施形態では、製造上容易に空気層１２を設けるために、カバー１０、１１を用いているが、充填する樹脂を凹形状に成形したものを用いて器具本体１を封止する構成であってもよく、同様に空気層１２を形成することができる。
【図面の簡単な説明】
【００２４】
【図１】本実施形態の照明器具を示し、（ａ）は正面から見た断面図、（ｂ）は上面図である。
【図２】同上の他の照明器具を正面から見た一部破断せる断面図である。
【図３】従来例の照明器具を正面から見た断面図である。
【符号の説明】
【００２５】
１    器具本体
４    ＬＥＤユニット（光源）
７    封止部
９    レンズ部
１０  カバー
１２  空気層
Ａ    照明器具
【図１】
2008293928.tif 000003
【図２】
2008293928.tif 000004
【図３】
2008293928.tif 000005